(57)【要約】【課題】２つの異なるユニットにおける２画面表示において、ＰＣコンテンツにおける表示性能を向上できる映像表示装置を提供する。【解決手段】ＰＣ内蔵テレビ１のＴＶユニット１０は、ＰＣユニット２０に対して第２の映像の取得要求を送信する制御情報通信部１８と、制御情報通信部１８から送信した取得要求を受信した第２の映像生成ユニットから送信される第２の映像を取得するコンテンツ受信部１６と、コンテンツ受信部１６において取得した第２の映像の少なくとも一部を、当該第２の映像の１ピクセルが表示部の１ドットに対応する状態で含み、かつＰＣユニット２０において生成した第１の映像を含む表示用映像を生成するコンテンツ合成部１４と、コンテンツ合成部１４において生成した表示用映像を表示部に表示する映像出力部１１とを備えている。【選択図】図１
2011166538.tif 000002
【特許請求の範囲】
【請求項１】
第１の映像を生成する第１の映像生成ユニットと、第２の映像を生成する第２の映像生成ユニットとを備えた映像表示装置であって、
上記第１の映像生成ユニットが、
上記第２の映像生成ユニットに対して第２の映像の取得要求を送信する通信手段と、
上記通信手段から送信した取得要求を受信した第２の映像生成ユニットから送信される第２の映像を取得する映像取得手段と、
上記映像取得手段において取得した第２の映像の少なくとも一部を、当該第２の映像の１ピクセルが表示部の１ドットに対応する状態で含み、かつ自ユニットにおいて生成した第１の映像を含む表示用映像を生成する生成手段と、
上記生成手段において生成した表示用映像を上記表示部に表示する表示制御手段とを備えていることを特徴とする映像表示装置。
【請求項２】
放送波、通信ネットワーク、外部記憶装置、内部記憶装置、および記録メディアの少なくともいずれかを通じて、上記第１の映像を含む第１のコンテンツを取得する第１のコンテンツ取得手段をさらに備えていることを特徴とする請求項１に記載の映像表示装置。
【請求項３】
上記第１の映像生成ユニットは、
アンテナを通じて上記放送波を受信する放送波受信手段をさらに備え、
上記第１のコンテンツ取得手段は、上記受信された放送波をデコードして上記第１のコンテンツを取得することを特徴とする請求項２に記載の映像表示装置。
【請求項４】
上記第２の映像生成ユニットは、
ソフトウェアアプリケーションを実行する実行手段と、
上記ソフトウェアアプリケーションの実行時に生成されるコンテンツを、上記第２の映像を含む第２のコンテンツとして取得する第２のコンテンツ取得手段と、
上記第２のコンテンツ取得手段によって取得された上記第２のコンテンツを上記第１の映像生成ユニットに送信するコンテンツ送信手段をさらに備えていることを特徴とする請求項１から３のいずれか１項に記載の映像表示装置。
【請求項５】
上記第２の映像生成ユニットは、
通信ネットワーク、外部記憶装置、内部記憶装置、および記録メディアの少なくともいずれかを通じて、上記第２の映像を含む第２のコンテンツを取得する第２のコンテンツ取得手段をさらに備えていることを特徴とする請求項１から３のいずれか１項に記載の映像表示装置。
【請求項６】
上記生成手段は、上記第１の映像全体と、上記第２の映像全体とを含む表示用映像を生成することを特徴とする請求項１から５のいずれか１項に記載の映像表示装置。
【請求項７】
上記生成手段は、上記第２の映像である１つのウィンドウと、上記第１の映像とを含む表示用映像を生成することを特徴とする請求項１から６のいずれか１項に記載の映像表示装置。
【請求項８】
上記生成手段は、上記第２の映像の解像度が、上記第１の映像の解像度よりも低い場合に、当該第２の映像全体の１ピクセルが上記表示部の１ドットに対応する状態で含み、かつ上記第１の映像とを含む表示用映像を生成することを特徴とする請求項１から７のいずれか１項に記載の映像表示装置。
【請求項９】
上記第２の映像生成ユニットは、上記第１の映像生成ユニットから着脱可能であることを特徴とする請求項１から８のいずれか１項に記載の映像表示装置。
【請求項１０】
第１の映像を生成する第１の映像生成ユニットと、第２の映像を生成する第２の映像生成ユニットとを備えた映像表示装置の映像表示方法であって、
上記第１の映像生成ユニットが、
上記第２の映像生成ユニットに対して第２の映像の取得要求を送信する通信工程と、
上記通信工程において送信した取得要求を受信した第２の映像生成ユニットから送信される第２の映像を取得する映像取得工程と、
上記映像取得工程において取得した第２の映像の少なくとも一部を、当該第２の映像の１ピクセルが表示部の１ドットに対応する状態で含み、かつ自ユニットにおいて生成した第１の映像を含む表示用映像を生成する生成工程と、
上記生成工程において生成した表示用映像を上記表示部に表示する表示制御工程とを含んでいることを特徴とする映像表示方法。
【請求項１１】
請求項１から９のいずれか１項に記載の映像表示装置を動作させるプログラムであって、コンピュータを上記の各手段として機能させるためのプログラム。
【請求項１２】
請求項１１に記載のプログラムを記録しているコンピュータ読み取り可能な記録媒体。
【発明の詳細な説明】
【技術分野】
【０００１】
本発明は、複数のユニットによって構成される映像表示装置、映像表示方法、プログラム、および記録媒体に関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。このような装置として、ＴＶチューナーを内蔵したＰＣ（パーソナルコンピュータ）、外部接続されたＰＣの映像を表示するＴＶ、インターネット接続機能を内蔵したＴＶ、またはＰＣを内蔵したＴＶ等が普及している。
【０００３】
特許文献１には、ユーザが録画候補の番組の情報の確認と、録画指示とを確実かつ容易に行えるように、番組予約情報において録画予約されていない録画候補の番組を検索するテレビジョン受像機が開示されている。
【先行技術文献】
【特許文献】
【０００４】
【特許文献１】特開２００８−０７２２２２（公開日：２００８年３月２７日）
【発明の概要】
【発明が解決しようとする課題】
【０００５】
しかし、上述した従来技術には次のような問題がある。
【０００６】
上述した、子画面を用いて、例えばＰＣとＴＶとを２画面表示する装置においては、画面レイアウトおよび表示位置の関係等からＰＣの映像における表示性能が十分に発揮できずに、ＰＣの画像が鮮明に表示できないといった問題がある。
【０００７】
特許文献１の技術では、ユーザは録画候補の番組の情報の確認と、録画指示とを容易に行えるが、ＰＣの映像における表示性能を向上させることについては記載されていない。
【０００８】
本発明は、上記の問題点に鑑みてなされたものであり、その目的は、２つの異なるユニットにおける２画面表示において、ＰＣコンテンツの映像における表示性能を向上できる映像表示装置、映像表示方法、プログラム、および記録媒体を提供することにある。
【課題を解決するための手段】
【０００９】
本発明に係る映像表示装置は、上記の課題を解決するために、第１の映像を生成する第１の映像生成ユニットと、第２の映像を生成する第２の映像生成ユニットとを備えた映像表示装置であって、上記第１の映像生成ユニットが、上記第２の映像生成ユニットに対して第２の映像の取得要求を送信する通信手段と、上記通信手段から送信した取得要求を受信した第２の映像生成ユニットから送信される第２の映像を取得する映像取得手段と、上記映像取得手段において取得した第２の映像の少なくとも一部を、当該第２の映像の１ピクセルが表示部の１ドットに対応する状態で含み、かつ自ユニットにおいて生成した第１の映像を含む表示用映像を生成する生成手段と、上記生成手段において生成した表示用映像を上記表示部に表示する表示制御手段とを備えていることを特徴としている。
【００１０】
上記の構成によれば、映像表示装置の第１の映像生成ユニットの通信手段は、第２の映像生成ユニットに対して第２の映像の取得要求を送信する。映像取得手段は、第２の映像生成ユニットから送信される第２の映像を取得する。そして、生成手段は、第２の映像の少なくとも一部を、当該第２の映像の１ピクセルが表示部の１ドットに対応する状態で含み、かつ自ユニットにおいて生成した第１の映像を含む表示用映像を生成する。表示制御手段は、生成手段において生成した表示用映像を表示部に表示する。
【００１１】
生成手段は、第２の映像の少なくとも一部を、当該第２の映像の１ピクセルが表示部の１ドットに対応する状態で含む表示用映像を生成する。このため、スケーリング等によるジャギーまたはモアレを防止でき、映像を鮮明に表示できる。したがって、例えばＰＣコンテンツなどの第２の映像における表示性能を向上できる。また、生成手段は、自ユニットにおいて生成した第１の映像を含む表示用映像を生成する。このため、表示制御手段は、第１の映像と第２の映像とを１画面に表示できる。
【００１２】
以上のように、映像表示装置は、２つの異なるユニットにおける２画面表示において、例えばＰＣコンテンツなどの第２の映像における表示性能を向上できるという効果を奏する。
【００１３】
本発明に係る映像表示装置の映像表示方法は、上記の課題を解決するために、第１の映像を生成する第１の映像生成ユニットと、第２の映像を生成する第２の映像生成ユニットとを備えた映像表示装置の映像表示方法であって、上記第１の映像生成ユニットが、上記第２の映像生成ユニットに対して第２の映像の取得要求を送信する通信工程と、上記通信工程において送信した取得要求を受信した第２の映像生成ユニットから送信される第２の映像を取得する映像取得工程と、上記映像取得工程において取得した第２の映像の少なくとも一部を、当該第２の映像の１ピクセルが表示部の１ドットに対応する状態で含み、かつ自ユニットにおいて生成した第１の映像を含む表示用映像を生成する生成工程と、上記生成工程において生成した表示用映像を上記表示部に表示する表示制御工程とを含んでいる。
【００１４】
上記の構成によれば、本発明に係る映像表示装置と同様の作用効果を奏する。
【００１５】
本発明に係る映像表示装置では、放送波、通信ネットワーク、外部記憶装置、内部記憶装置、および記録メディアの少なくともいずれかを通じて、上記第１の映像を含む第１のコンテンツを取得する第１のコンテンツ取得手段をさらに備えていることが好ましい。
【００１６】
上記の構成によれば、映像表示装置は、仮に第２の映像生成ユニットが故障して動作しなくなった場合でも、様々なコンテンツを再生できる。
【００１７】
本発明に係る映像表示装置では、上記第１の映像生成ユニットは、アンテナを通じて上記放送波を受信する放送波受信手段をさらに備え、上記第１のコンテンツ取得手段は、上記受信された放送波をデコードして上記第１のコンテンツを取得することが好ましい。
【００１８】
上記の構成によれば、第１の映像生成ユニットが放送番組を再生できる。結果、映像表示装置をテレビジョン装置の一種として実現できる。
【００１９】
本発明に係る映像表示装置では、上記第２の映像生成ユニットは、ソフトウェアアプリケーションを実行する実行手段と、上記ソフトウェアアプリケーションの実行時に生成されるコンテンツを、上記第２の映像を含む第２のコンテンツとして取得する第２のコンテンツ取得手段と、上記第２のコンテンツ取得手段によって取得された上記第２のコンテンツを上記第１の映像生成ユニットに送信するコンテンツ送信手段をさらに備えていることが好ましい。
【００２０】
上記の構成によれば、第２の映像生成ユニットが汎用コンピュータとしての機能を有する。結果、映像表示装置を、コンピュータ機能を有する装置として実現できる。特に、第１の映像生成ユニットが放送番組の再生機能を有する場合、映像表示装置は、コンピュータ内蔵のテレビジョン装置として実現できる。
【００２１】
本発明に係る映像表示装置では、上記第２の映像生成ユニットは、通信ネットワーク、外部記憶装置、内部記憶装置、および記録メディアの少なくともいずれかを通じて、上記第２の映像を含む第２のコンテンツを取得する第２のコンテンツ取得手段をさらに備えていることが好ましい。
【００２２】
上記の構成によれば、映像表示装置は多種多様なコンテンツを再生できる。
【００２３】
本発明に係る映像表示装置では、上記生成手段は、上記第１の映像全体と、上記第２の映像全体とを含む表示用映像を生成することが好ましい。
【００２４】
上記の構成によれば、映像表示装置の生成手段は、第１の映像全体と、第２の映像全体とを含む表示用映像を生成する。このため、ユーザは、第１の映像全体と第２の映像全体とを１画面において視聴できるという更なる効果を奏する。
【００２５】
本発明に係る映像表示装置では、上記生成手段は、上記第２の映像である１つのウィンドウと、上記第１の映像とを含む表示用映像を生成することが好ましい。
【００２６】
上記の構成によれば、生成手段は、第２の映像である１つのウィンドウと、第１の映像とを含む表示用映像を生成する。したがって、複数の第２の映像のうち、例えばゲームまたは動画といった鮮明に表示したい映像の表示性能を向上できるという更なる効果を奏する。
【００２７】
本発明に係る映像表示装置では、上記生成手段は、上記第２の映像の解像度が、上記第１の映像の解像度よりも低い場合に、当該第２の映像全体の１ピクセルが上記表示部の１ドットに対応する状態で含み、かつ上記第１の映像とを含む表示用映像を生成することが好ましい。
【００２８】
上記の構成によれば、生成手段は、第２の映像の解像度が、第１の映像の解像度よりも低い場合に、当該第２の映像全体の１ピクセルが上記表示部の１ドットに対応する状態で含み、かつ上記第１の映像とを含む表示用映像を生成する。このため、第１の映像が第２の映像の表示を妨げることはないという更なる効果を奏する。
【００２９】
本発明に係る映像表示装置では、上記第２の映像生成ユニットは、上記第１の映像生成ユニットから着脱可能であることが好ましい。
【００３０】
上記の構成によれば、映像表示装置の拡張性および保守性をより高めることができるという更なる効果を奏する。
【００３１】
なお、上記映像表示装置は、コンピュータによって実現してもよい。この場合、コンピュータを上記各手段として動作させることにより上記映像表示装置をコンピュータにおいて実現するプログラム、およびそのプログラムを記録したコンピュータ読み取り可能な記録媒体も、本発明の範疇に入る。
【発明の効果】
【００３２】
以上のように、本発明に係る映像表示装置は、第１の映像を生成する第１の映像生成ユニットと、第２の映像を生成する第２の映像生成ユニットとを備えた映像表示装置であって、上記第１の映像生成ユニットが、上記第２の映像生成ユニットに対して第２の映像の取得要求を送信する通信手段と、上記通信手段から送信した取得要求を受信した第２の映像生成ユニットから送信される第２の映像を取得する映像取得手段と、上記映像取得手段において取得した第２の映像の少なくとも一部を、当該第２の映像の１ピクセルが表示部の１ドットに対応する状態で含み、かつ自ユニットにおいて生成した第１の映像を含む表示用映像を生成する生成手段と、上記生成手段において生成した表示用映像を上記表示部に表示する表示制御手段とを備えている。したがって、２つの異なるユニットにおける２画面表示において、例えばＰＣコンテンツなどの第２の映像における表示性能を向上できる。
【００３３】
また、本発明に係る映像表示装置の映像表示方法は、上記の課題を解決するために、第１の映像を生成する第１の映像生成ユニットと、第２の映像を生成する第２の映像生成ユニットとを備えた映像表示装置の映像表示方法であって、上記第１の映像生成ユニットが、上記第２の映像生成ユニットに対して第２の映像の取得要求を送信する通信工程と、上記通信工程において送信した取得要求を受信した第２の映像生成ユニットから送信される第２の映像を取得する映像取得工程と、上記映像取得工程において取得した第２の映像の少なくとも一部を、当該第２の映像の１ピクセルが表示部の１ドットに対応する状態で含み、かつ自ユニットにおいて生成した第１の映像を含む表示用映像を生成する生成工程と、上記生成工程において生成した表示用映像を上記表示部に表示する表示制御工程とを含んでいる。したがって、２つの異なるユニットにおける２画面表示において、例えばＰＣコンテンツなどの第２の映像における表示性能を向上できる。
【図面の簡単な説明】
【００３４】
【図１】本発明の一実施形態に係るＰＣ内蔵テレビの要部構成を示すブロック図である。
【図２】（ａ）は、本発明の一実施形態に係るＰＣ内蔵テレビを表示画面側から見た場合の外観を示す図であり、（ｂ）は、ＰＣ内蔵テレビを横から見た場合の外観を示す図である。
【図３】本発明の一実施形態に係るＰＣ内蔵テレビの詳細な内部構成を示すブロック図である。
【図４】本発明の一実施形態に係るＰＣ内蔵テレビの表示画面を示す図である。
【図５】本発明の一実施形態に係るＰＣ内蔵テレビの表示画面の他の例を示す図である。
【図６】本発明の一実施形態に係るＰＣ内蔵テレビの表示画面の他の例を示す図である。
【図７】本発明のＰＣ内蔵テレビにおいてＴＶ全画面およびＰＣ画面を表示する際の流れを示すシーケンス図である。
【図８】（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図９】本発明の他の実施形態に係るＰＣ内蔵テレビの要部構成を示すブロック図である。
【発明を実施するための形態】
【００３５】
まず、本発明に係るＰＣ内蔵テレビ１の基本的な構成について、図１〜図３を参照して以下に説明する。
【００３６】
（ＰＣ内蔵テレビ１の外観）
まず、ＰＣ内蔵テレビ１の外観について、図２を参照して以下に説明する。図２（ａ）は、本発明の一実施形態に係るＰＣ内蔵テレビ１を表示画面側から見た場合の外観を示す図である。図２（ｂ）は、ＰＣ内蔵テレビ１を横（ＰＣユニット２０の設置側）から見た場合の外観を示す図である。
【００３７】
図２（ａ）および（ｂ）に示すように、ＰＣ内蔵テレビ１（映像表示装置）は、ＴＶユニット１０（第１の映像生成ユニット）にＰＣユニット２０（第２の映像生成ユニット）が設けられた構成の装置である。本実施形態のＴＶユニット１０は、液晶テレビジョン装置としての構成および機能を備えたサブユニット（サブシステム）である。一方、ＰＣユニット２０は、いわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００３８】
ユーザはリモコン９を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００３９】
なお、図２（ａ）および（ｂ）では、ＰＣユニット２０がＴＶユニット１０外壁面に取り付けられている場合を示しているが、ＰＣユニット２０がＴＶユニット１０の筐体本体に内蔵されていてもよい。この場合、ＰＣユニット２０はＴＶユニット１０の内部に完全に隠されている。したがって、ＰＣユニット２０を外部環境から守ることができる。なお、ユーザは、ＰＣユニット２０をＴＶユニット１０の内部から取り出して、別のＰＣユニット２０に交換することができる。
【００４０】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００４１】
図１に示すように、ＰＣ内蔵テレビ１のＴＶユニット１０は、映像出力部１１、音声出力部１２、コンテンツ処理部１３、コンテンツ合成部１４、コンテンツ取得部１５、コンテンツ受信部１６、ユーザ入力部１７、制御情報通信部１８および制御部１９を備えている。一方、ＰＣユニット２０は、コンテンツ処理部２１、コンテンツ取得部２２、コンテンツ送信部２３、記憶部２４、制御情報通信部２５、ユーザ入力部２６、制御部２７およびアプリケーション実行部２８を備えている。
【００４２】
本実施形態のＰＣ内蔵テレビ１は、映像の合成機能を有している。具体的には、ＴＶユニット１０は、放送波（テレビ放送）を受信してデコードすることによって、放送番組（第１のコンテンツ）を取得する。ＰＣユニット２０は、ウェブページ、動画コンテンツ等などのＰＣコンテンツ（第２のコンテンツ）を取得しＴＶユニット１０に提供する。ＴＶユニット１０は、少なくとも放送番組内の映像（第１の映像）およびＰＣコンテンツ内の映像（第２の映像）を合成して一つの合成映像を生成し、ディスプレイ２に出力する。これによりディスプレイ２は当該合成映像を表示する。ディスプレイ２は、たとえば液晶ディスプレイ、プラズマディスプレイ、有機ＥＬディスプレイとして実現される。
【００４３】
（ＴＶユニット１０の詳細）
ＴＶユニット１０に備えられる各ブロックの機能について、それぞれ以下に説明する。
【００４４】
映像出力部１１は、コンテンツ合成部１４から送られた映像信号をディスプレイ２に出力する。
【００４５】
音声出力部１２は、コンテンツ合成部１４から送られた音声信号をスピーカ３に出力する。
【００４６】
コンテンツ処理部１３は、コンテンツ取得部１５から入力されたコンテンツを処理する。本実施形態では、受信された放送波をデコードして放送番組を生成し、コンテンツ合成部１４に出力する。
【００４７】
コンテンツ合成部１４は、コンテンツ処理部１３から入力された放送番組、およびコンテンツ受信部１６がＰＣユニット２０から受信したＰＣコンテンツを合成して、一つの合成コンテンツを生成する。また、コンテンツ合成部１４は、詳細は後述するが、ＰＣコンテンツにおける映像の１ピクセルがディスプレイ２の１ドットに対応するように合成する。
【００４８】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００４９】
コンテンツ受信部１６は、ＰＣユニット２０から送信されたＰＣコンテンツを受信し、コンテンツ合成部１４に出力する。
【００５０】
ユーザ入力部１７は、ユーザによるＰＣ内蔵テレビ１に対する入力操作を受け付ける。具体的には、たとえばユーザによる入力操作に応じてリモコン９が発した信号を受信し、制御部１９に出力する。他にも、ＴＶユニット１０本体へのユーザの直接操作によって発せられた信号を受信することもできる。
【００５１】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。ここで制御情報には、たとえば、ＰＣユニット２０またはＴＶユニット１０を操作するための操作情報が含まれる。他にも、取得したコンテンツを他方のユニットに提供すべき旨を規定した情報が含まれる。さらに、コンテンツを取得するためのアクセス情報（リンク情報）が含まれる。
【００５２】
制御部１９は、ＴＶユニット１０を構成する各ブロックを統括制御する。
【００５３】
（ＰＣユニット２０の詳細）
ＰＣユニット２０を構成する各ブロックの機能について、以下に説明する。
【００５４】
コンテンツ処理部２１は、コンテンツ取得部２２が取得したＰＣコンテンツを処理する。
【００５５】
コンテンツ取得部２２は、外部からＰＣコンテンツを取得する。たとえば、記録ディスク７またはインターネット（通信ネットワーク）８からＰＣコンテンツを取得する。ＰＣコンテンツは、コンピュータによって処理され再生可能なコンテンツのことである。たとえばテキスト、静止画像、映像、音声、動画等のコンテンツがこれに該当し、さらにこれらの組み合わせからなるマルチメディアコンテンツも該当する。他にも、ウェブページもＰＣコンテンツに含まれる。これらのＰＣコンテンツは各所から取得できる。取得先はたとえばインターネット８上のウェブサイト、ＰＣ内蔵テレビ１に接続された外部装置、および記録ディスク７である。
【００５６】
コンテンツ送信部２３は、コンテンツ処理部２１が処理したコンテンツをコンテンツ受信部１６へ送信する。
【００５７】
記憶部２４は、各種のＰＣコンテンツを記憶する。たとえば、ハードディスク、フラッシュメモリ等の不揮発性の記憶装置として実現される。記憶部２４には、ＰＣコンテンツに加えて、アプリケーション実行部２８によって実行される各種のソフトウェアアプリケーションが記憶されている。
【００５８】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。
【００５９】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００６０】
制御部２７は、ＰＣユニット２０における各種動作を制御する。
【００６１】
アプリケーション実行部２８は、記憶部２４に記憶されているソフトウェアアプリケーションを読み出し、実行する。
【００６２】
（ＰＣ内蔵テレビ１の詳細な内部構成）
次に、ＰＣ内蔵テレビ１の詳細な内部構成について、図３を参照して説明する。図３は、本発明の一実施形態に係るＰＣ内蔵テレビ１の詳細な内部構成を示すブロック図である。図１に示す各機能ブロックは、図３に示す各ブロックのいずれかまたはその組み合わせによって、実現される。
【００６３】
ＲＦ（Ｒａｄｉｏ  Ｆｒｅｑｕｅｎｃｙ）受信部１０１は、外部から送られてくる信号を受信する。すなわち、ＲＦ受信部１０１は、たとえば、地上波デジタル放送として無線で送られてくる映像信号等のデジタル放送信号を受け付ける映像信号入力部である。なお、ＲＦ受信部１０１が受信する信号は、地上波デジタル放送として送られてくる信号に限定されるものではなく、たとえば、一般のアナログ放送、衛星放送、またはケーブルテレビ放送等として送られてくる信号であってもよい。
【００６４】
これらの信号としては、たとえば、デジタル放送の場合はＭＰＧ２またはＭＰＥＧ４等のシステムとしてデジタル化された映像信号が挙げられる。また、ＲＦ受信部１０１に入力される信号は、当該映像信号に限定されるものではなく、たとえば、デジタル化されたオーディオ信号、データ放送、電子番組表情報またはネットワーク情報などのデジタル放送信号（放送波）であってもよい。
【００６５】
デモジュレータ１０２は、ＲＦ受信部１０１に入力されたデジタル放送信号を復調し、デコーダ１０３に送る。
【００６６】
デコーダ１０３は、たとえばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【００６７】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行う。しかしながら、これに限定されるものではなく、デコーダ１０３またはＣＰＵ１０９において、オーディオ信号をデコードしてもよい。処理されたオーディオ信号は、スピーカ１０５に送られる。
【００６８】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、たとえば、ＢＤ（ＢｌｕＲａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【００６９】
リモコン通信部１０６は、図示しないリモコンからの制御信号を受信する。制御信号を送信するリモコン９としては、たとえば、１方向に信号を送信する赤外線リモコン、または双方向に信号を送信する無線リモコンが挙げられる。リモコン通信部１０６が受信した制御信号は、ＣＰＵ１０９に送られる。
【００７０】
外部入力部１０７は、ＰＣユニット２０の映像出力部２０８から出力された信号を受信する。外部入力部１０７としては、たとえば、ＨＤＭＩインターフェースまたはＤＶＩ・Ｄ端子などが挙げられる。また、外部入力部１０７が受信する信号は、デコードされたデータまたは圧縮形式のデータ（たとえば、ＭＰＥＧ４等）を含む。
【００７１】
外部入力部１０７が受信したオーディオ信号は、オーディオプロセッサ１０４に出力される。一方、外部入力部１０７が受信した映像信号は、グラフィックメモリ１１０に出力され、展開される。また、たとえば、外部入力部１０７が受信した映像信号が圧縮画像であった場合、受信した映像信号は、一旦デコーダ１０３を経由してグラフィックメモリ１１０に送られる。なお、デコーダ１０３を経由するか否かによって、グラフィックメモリ１１０に出力される映像信号に本質的な差異はない。
【００７２】
メモリ１０８は、プログラムまたはデータを格納するメモリである。
【００７３】
ＣＰＵ１０９は、ＴＶユニット１０全体の制御を行うＣＰＵである。
【００７４】
グラフィックメモリ１１０は、２つ以上の映像および表示データを保持する。表示データとしては、たとえば、データ放送、およびＯＳＤ（オンスクリーンディスプレイ）データ、設定メニュー等のデータが挙げられる。グラフィックメモリ１１０は、複数のプレーンからなり、それぞれのプレーンを重ね合わせたり、アルファブレンディングを行ったりすることが可能である。
【００７５】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、たとえば、複数のプレーンの拡大縮小または位置設定などを行い、合成して最終画面を作り出す。この最終画面は、表示部１１２へ送られる。なお、グラフィックメモリ１１０およびグラフィックコントローラ１１１は、図１に示したコンテンツ合成部１４に相当する。
【００７６】
表示部１１２は、グラフィックコントローラ１１１から受け取った映像を表示する。たとえば液晶パネルなどの表示デバイスに映像を表示してもよいし、外部機器に映像データを出力してもよい。
【００７７】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【００７８】
Ｉ／Ｆ部１１４は、ＬＡＮ、ＵＳＢまたはシリアル等を制御するインターフェース部である。Ｉ／Ｆ部１１４では、静止画等を含む制御情報をＰＣユニット２０とやり取りする。なお、Ｉ／Ｆ部１１４における制御情報の送受信方式は、特に限定されない。
【００７９】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。
【００８０】
入力部２０１は、外部からの入力を受け付ける。このように、ＰＣユニット２０は、独自の入力部が存在し得る。入力部２０１としては、たとえば、Ｂｌｕｅｔｏｏｔｈのワイヤレスキーボードまたはワイヤレスマウス等を利用できることが好ましい。
【００８１】
ＩＯプロセッサ２０２は、各種外部インターフェースを制御する。
【００８２】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３，２０３を備えている場合、ＰＣ内蔵のテレビ１の内部においてブリッジ機能を有することが好ましい。これにより、たとえば、有線ＬＡＮを接続する場合に、１つのＬＡＮケーブルを挿すだけで、ＴＶユニット１０およびＰＣユニット２０を同時にネットワークに接続させることができる。
【００８３】
メモリ２０５は、各種制御を行うＣＰＵ２０６のメモリである。
【００８４】
ＣＰＵ２０６は、ＰＣユニット２０に含まれる各ブロックを統括的に制御する。たとえば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、たとえば、ＰＣユニット２０がデコーダ１０３のようなハードウェアを備えていてもよい。
【００８５】
グラフィックコントローラ２０７は、映像描画時のグラフィック処理を高速化する。
【００８６】
映像出力部２０８は、グラフィックコントローラ２０７によって処理された映像信号を、たとえばＨＤＭＩ等の形式によって出力する。なお、オーディオ信号も映像信号と同様に、ＴＶユニット１０に送信される。
【００８７】
記憶部２０９は、インターネット８または記録ディスク７を通じて取得されたＰＣコンテンツを恒久的に記憶する。記憶部２０９としては、たとえば、ハードディスク、ＢＤ（Ｂｌｕ-ｒａｙ  Ｄｉｓｋ）、ＤＶＤ（Ｄｉｇｉｔａｌ  Ｖｉｄｅｏ  Ｄｉｓｋ）またはＵＳＢ（Ｕｎｉｖｅｒｓａｌ  Ｓｅｒｉａｌ  Ｂｕｓ）メモリ等が挙げられる。ＣＰＵ２０６は、ネットワークを経由して取得した映像、または記憶部２０９に記憶されている映像を再生し、ＴＶユニット１０に送信する。
【００８８】
ここで、映像とは、動画に限定されるものではなく、音楽、書籍、写真、スライドショー、ワープロドキュメント、またはゲーム等のアプリケーションが作成する画面が挙げられる。
【００８９】
（映像を鮮明に表示する処理）
続いて、本実施形態に係るＰＣ内蔵テレビ１におけるＰＣコンテンツの映像信号を、鮮明に表示する処理について図４〜図７を参照して説明する。なお、本項における各部材の参照符号は、図１または図３に準じるものとする。
【００９０】
図４（ａ）は、ＰＣコンテンツをディスプレイ２にそのまま表示した図である。この図に示すように、ＰＣコンテンツをそのまま表示すると、映像がスケーリングされてしまう。このため、表示品質が悪くなる。
【００９１】
そこで、ＴＶユニット１０のコンテンツ合成部１４は、ＴＶユニット１０が生成した、この図に示す「よってけ栃木」であるテレビ放送番組と、ＰＣコンテンツにおける複数のウィンドウのうち、視聴したいウィンドウ、すなわち「野球ゲーム」における映像の１ピクセルがディスプレイ２の１ドットに対応するように、所謂ドットバイドットにおいて合成コンテンツすなわち表示用映像を生成する。そして、図４（ｂ）に示すように、映像出力部１１は、コンテンツ合成部１４が生成した映像をディスプレイ２に出力する。これにより、表示品質を落としたくない映像、例えばゲーム映像または動画配信映像においても、スケーリング等によるジャギーまたはモアレを防止でき、表示品質を落とさずに表示できる。また、ＰＣコンテンツの視聴したいウィンドウの映像のみを、１ピクセルがディスプレイ２の１ドットに対応する表示をするため、ディスプレイ２における比較的少ない領域のみをＰＣコンテンツに使用すればよい。したがって、ＴＶユニット１０が生成したテレビ放送番組を視聴できる。また、ＰＣコンテンツをＰｉｎＰ（ピクチャインピクチャ）の形式でディスプレイ２に表示できる。
【００９２】
次に、ＰＣコンテンツの映像信号を、鮮明に表示する他の例について、図５を参照して説明する。なお、この場合は、コンテンツ合成部１４は、ＰＣコンテンツの解像度がテレビ放送番組の解像度よりも低い場合における処理である。図５（ａ）は、解像度が１２８０×１０２４のＰＣコンテンツの映像信号をスケーリングして、解像度が１９２０×１０８０のディスプレイ２に表示した図である。なお、解像度が１９２０×１０８０の例としては、例えばフルスペックハイビジョンが考えられる。この図に示すように、ＰＣコンテンツの映像信号をそのままスケーリング表示すると表示品質が悪くなる。
【００９３】
そこで、コンテンツ合成部１４は、ＰＣコンテンツの映像「野球ゲーム」全体における映像信号の１ピクセルがディスプレイ２の１ドットに対応するように、表示用映像を生成する。そして、コンテンツ合成部１４は、ディスプレイ２の余白部分、すなわち１９２０×１０８０から１２８０×１０２４を減じた画素数６４０×５６にテレビ放送番組「よってけ栃木」を表示するように表示用映像を生成する。これにより、ＰＣコンテンツの表示品質を落とさずに、ＰＣコンテンツの全体の映像とテレビ放送番組とを同時に表示することができる。また、テレビ放送番組がＰＣコンテンツの映像の表示を妨げることはない。
【００９４】
次に、ＰＣコンテンツの映像信号を、鮮明に表示する他の例について、図６を参照して説明する。この図に示すように、コンテンツ合成部１４は、ＰＣコンテンツの映像「野球ゲーム」全体における映像信号の１ピクセルがディスプレイ２の１ドットに対応するように、表示用映像を生成する。そして、コンテンツ合成部１４は、テレビ放送番組「よってけ栃木」全体を表示するように表示用映像を生成する。これによりユーザは、ＰＣコンテンツの映像全体とテレビ放送番組全体とを１画面において視聴できる。
【００９５】
以上のように、ＰＣ内蔵テレビ１においては、ＰＣコンテンツの映像信号の１ピクセルがディスプレイ２の１ドットに対応するように、表示用映像を生成する。したがって、スケーリング等によるジャギーまたはモアレを防止し、ＰＣコンテンツを鮮明に見ることができる。また、同じ画面上においてテレビ放送番組を同時に視聴することができる。
【００９６】
また、図６（ａ）は、ＰＣコンテンツとテレビ放送番組とを、一般的である等分割して２画面表示する場合を示した図である。この図に示すように、２画面を等分割して表示する場合には、ＰＣコンテンツの映像信号の１ピクセルがディスプレイ２の１ドットに対応するように、表示用映像を生成することができない場合がある。したがって、スケーリング表示する必要があるため表示品質が悪くなる。
【００９７】
そこで、ＰＣ内蔵テレビ１のコンテンツ合成部１４は、レイアウトを変更すなわちＰＣコンテンツの画面を小さくして、合成コンテンツすなわち表示用映像を生成してもよい。これにより、図６（ｂ）に示すように、ＰＣ内蔵テレビ１は、ＰＣコンテンツの表示品質を落とさずに、ＰＣコンテンツとテレビ放送番組とを同時に表示することができる。
【００９８】
なお、上述した例においては、ＰＣコンテンツの映像信号の１ピクセルがディスプレイ２の１ドットに対応するように、表示用映像を生成した。しかしながら、コンテンツ合成部１４は、ＰＣコンテンツの映像信号の１ピクセルがディスプレイ２の複数ドットに対応するように、また、複数ピクセルがディスプレイ２の１ドットに対応するように、表示用映像を生成してもよい。
【００９９】
（画面表示処理の流れの例）
次に、ＰＣ内蔵テレビ１における画面表示処理の流れについて、図７を参照して説明する。図７は、本発明のＰＣ内蔵テレビ１においてＴＶ全画面およびＰＣ画面を表示する際の情報処理の流れの一例を示すシーケンス図である。
【０１００】
図７の処理が始まる前の前提として、ＴＶユニット１０は、事前に、放送局から放送波を受信してデコードし、放送番組を取得済みである。また、各種の放送関連情報を、放送波の受信に合わせて随時受信している。放送関連情報としては、たとえばデータ放送、電子番組表、字幕、クローズドキャプション、ネットワークからの情報、現在視聴しているチャネルを表す情報、ユーザの居住地域を表す情報などがある。
【０１０１】
図７のシーケンスでは、まずＴＶユニット１０がＴＶ主画面を表示する（ステップＳ１）。次にユーザがリモコン９を用いてＰＣ表示コマンドを入力する（ステップＳ２）。この入力に基づきＴＶユニット１０はＰＣコンテンツをＰＣユニット２０にリクエストする（ステップＳ３）。ＰＣユニット２０は受信したリクエストをサービスサーバ（外部装置）に転送する（ステップＳ４）。サービスサーバはコンテンツをＰＣユニット２０に送信し、これをＰＣユニット２０が受信する（ステップＳ５）。ＰＣユニット２０は受信したコンテンツをＴＶユニット１０に転送する（ステップＳ６）。
【０１０２】
ここで、ユーザは、リモコン９を用いて、図４〜図６のいずれかにおけるＰＣコンテンツの表示方法を選択する（ステップＳ７）。なお、ＴＶユニット１０が、ＰＣコンテンツに応じてこのＰＣコンテンツの表示方法を自動で選択するようにしてもよい。
【０１０３】
次に、ＴＶユニット１０のコンテンツ合成部１４は、ユーザが選択した図４〜図６において説明したいずれかの方法によって、ＰＣコンテンツの映像信号の１ピクセルがディスプレイ２の１ドットに対応するように合成映像を生成する（ステップＳ８）。そして、ＴＶユニット１０の映像出力部１１は、受信した映像をディスプレイ２に表示する（ステップＳ９）。
【０１０４】
以上に説明したほか、ＰＣ内蔵テレビ１には次のような様々な工夫が可能である。
【０１０５】
（利用サービスの多様性）
ＰＣ内蔵テレビ１のユーザは、従来の汎用コンピュータによって利用可能なインターネットサービスを、全てＰＣ内蔵テレビ１においても利用できる。完全なコンピュータとして機能し、ＴＶユニット１０と連携して動作するＰＣユニット２０が、ＰＣ内蔵テレビ１に備えられているからである。したがってＰＣ内蔵テレビ１は、従来のように限られたインターネットサービスしか利用できないネットテレビに比べて、その活用範囲は遥かに広い。
【０１０６】
（大画面化による利点）
ディスプレイ２にＰＣ全画面を表示した場合、ユーザは、ＰＣユニット２０をマウス５またはキーボード６を使用して操作できる。ディスプレイ２を大画面としたＰＣ内蔵テレビ１では、ユーザは、ＰＣコンテンツを大画面かつ高画質のディスプレイ２を通じて楽しむことができる。従来のコンピュータではこのような用途のためにはＰＣ本体の他に別途大画面のディスプレイを用意する必要があった。しかしＰＣ内蔵テレビ１はこれ一台で、コンピュータも大いに活用するパワーユーザの要望をも満たすことができる。特にＰＣユニット２０はコンピュータであるため各種の周辺機器と連携して機能を柔軟に追加することが可能であり、こうした機能追加によって得られる利点を、大画面かつ高画質の表示を通じてユーザに実感させることができる。
【０１０７】
（電源の連動）
ユーザは、ＰＣユニット２０を起動するための煩雑な操作をしなくてもよい。ＰＣ内蔵テレビ１において、ＴＶユニット１０の電源と、ＰＣユニット２０の電源とが連動するからである。すなわち、ＴＶユニット１０の電源を入れると同時にＰＣの電源も入る。ＴＶユニット１０の起動完了後、ユーザは直ちに放送番組の視聴が可能になる。一方、その後もＰＣユニット２０の起動処理は続く。ＴＶユニット１０よりもＰＣユニット２０の方が、起動の完了に要する時間が長いからである。ユーザは、ＰＣユニット２０の起動完了まで無用にまたせることなく、放送番組を楽しめる。また、ＰＣユニット２０の起動完了後は、リモコン９による簡単な操作によって、いつでもＰＣユニット２０を操作できる。
【０１０８】
（設置の容易性）
ＴＶユニット１０およびＰＣユニット２０が一体化されているため、ユーザはＰＣ内蔵テレビ１を簡単に設置できる。ＴＶユニット１０のディスプレイ２にＬＥＤバックライトを採用してもよい。これにより、ＴＶユニット１０の軽量化および薄型化が可能になるため、ＰＣ内蔵テレビ１の設置方向を縦横のいずれにも自由にできる。
【０１０９】
（ＰＣ内蔵テレビ１の販売）
ＰＣ内蔵テレビ１の外観は、通常のテレビジョン装置のそれに酷似している。したがって、販売店はＰＣ内蔵テレビ１をコンピュータ売り場ではなくテレビ売り場に置く。販売員は、ＰＣ内蔵テレビ１を見込み客に売り込むときに、簡単な操作でコンピュータも利用できることを訴求できる。結果、コンピュータ売り場は行かないがテレビの売り場なら行くような顧客、すなわちコンピュータは苦手だがテレビは使える一般的なユーザに対し、ＰＣ内蔵テレビ１への購入意欲を高めさせることができる。ＰＣ内蔵テレビ１はコンピュータも使えるという付加価値を有しており、その分単価を高く設定でき、利益率も高い。したがって、ＰＣ内蔵テレビ１の製造会社も、販売店もより高い利益をＰＣ内蔵テレビ１によって得られる。
【０１１０】
（消費電力の表示）
ＰＣ内蔵テレビ１は、自身の消費電力に関する情報を取得し、表示用の情報に変換して、ディスプレイ２に表示してもよい。
【０１１１】
本発明に係る第２の実施形態について、図８および図９を参照して以下に説明する。なお、上述した第１の実施形態と共通する各部材には同じ符号を付し、詳細な説明を省略する。
【０１１２】
（ＰＣ内蔵テレビ１ａの外観例）
図８（ａ）は、着脱可能なＰＣユニット２０ａがＴＶユニット１０ａに装着された後のＰＣ内蔵テレビ１ａを表示画面側から見た場合の外観を示す図である。図８（ｂ）は、着脱可能なＰＣユニット２０ａがＴＶユニット１０ａに装着される前のＰＣ内蔵テレビ１ａを背面側から見た場合の外観を示す図である。
【０１１３】
この図に示すように、本実施形態のＰＣ内蔵テレビ１ａは、ＴＶユニット１０ａおよびＰＣユニット２０ａによって構成されている。この点において、第１の実施形態に係るＰＣ内蔵テレビ１と何ら変わりはない。しかし本実施形態のＰＣ内蔵テレビ１ａでは、ＰＣユニット２０ａがＰＣ内蔵テレビ１ａから着脱可能である。したがって、ＰＣ内蔵テレビ１ａの拡張性および保守性を高めることができる。なお、装着を解除した後、ＴＶユニット１０ａもＰＣユニット２０ａもそれぞれ単独で利用できる。
【０１１４】
ＰＣユニット２０ａには、図８（ａ）に示すように、複数の外部端子２９〜３１が設けられている。具体的にはイーサネット（登録商標）端子２９、ＵＳＢ端子３０、および映像／音声入出力端子３１である。また、図８（ｂ）に示すように、ＰＣユニット２０ａには、ＴＶユニット１０ａと信号をやり取りするための外部端子３２〜３４も設けられている。具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子３２、制御信号端子３３、および電源端子３４である。これらの端子があることによって、ＰＣユニット２０ａとＴＶユニット１０ａとの間で、映像信号、制御信号、および電源信号を互いに送受信できる。なお、これらに加えて音声信号端子を設け、音声信号を互いに送受信することも当然に可能である。
【０１１５】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。結果、ユーザは簡便な手順によってＰＣユニット２０ａをＴＶユニット１０ａに装着できる。すなわち、ＰＣユニット２０ａをその装着位置にただ差し込めば良いのである。
【０１１６】
ＰＣ内蔵テレビ１ａから外したＰＣユニット２０ａは、周辺機器に接続させることによって、様々な用途に活用できる。たとえば、モニタと接続可能なクレードルに、取り外したＰＣユニット２０ａを装着する。こうすれば、ＰＣユニット２０ａをデスクトップコンピュータとして使用できる。なお、ＰＣユニット２０ａとクレードルとを接続する端子としては、他にもイーサネット（登録商標）端子、およびシリアルポート端子を利用できる。
【０１１７】
（ＰＣ内蔵テレビ１ａの要部構成）
図９は、本発明の一実施形態に係るＰＣ内蔵テレビ１の要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置  外部再生装置）１６０からも、再生対象のコンテンツを取得できる。すなわち、本実施形態のＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０１１８】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得できる。
【０１１９】
（プログラムおよび記録媒体）
最後に、ＰＣ内蔵テレビ１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１２０】
すなわちＰＣ内蔵テレビ１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１２１】
この記録媒体は、上述した機能を実現するソフトウェアであるＰＣ内蔵テレビ１のプログラムのプログラムコード（実行形式プログラム、中間コードプログラム、ソースプログラム）をコンピュータで読み取り可能に記録していればよい。ＰＣ内蔵テレビ１に、この記録媒体を供給する。これにより、コンピュータとしてのＰＣ内蔵テレビ１（またはＣＰＵやＭＰＵ）が、供給された記録媒体に記録されているプログラムコードを読み出し、実行すればよい。
【０１２２】
プログラムコードをＰＣ内蔵テレビ１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１２３】
また、ＰＣ内蔵テレビ１を通信ネットワークと接続可能に構成しても、本発明の目的を達成できる。この場合、上記のプログラムコードを、通信ネットワークを介してＰＣ内蔵テレビ１に供給する。この通信ネットワークはＰＣ内蔵テレビ１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１２４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１２５】
（付記事項）
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【産業上の利用可能性】
【０１２６】
本発明は、コンピュータを内蔵した映像表示装置として幅広く利用できる。
【符号の説明】
【０１２７】
１      ＰＣ内蔵テレビ（映像表示装置）
１ａ    ＰＣ内蔵テレビ（映像表示装置）
２      ディスプレイ（表示部）
１０    ＴＶユニット（第１の映像生成ユニット  ＴＶユニット）
１０ａ  ＴＶユニット（第１の映像生成ユニット  ＴＶユニット）
１１    映像出力部（表示制御手段）
１２    音声出力部
１３    コンテンツ処理部
１４    コンテンツ合成部（生成手段）
１５    コンテンツ取得部（第１のコンテンツ取得手段  放送波受信手段）
１６    コンテンツ受信部（映像取得手段）
１７    ユーザ入力部
１８    制御情報通信部（通信手段）
１９    制御部
２０    ＰＣユニット（第２の映像生成ユニット  ＰＣユニット）
２０ａ  ＰＣユニット（第２の映像生成ユニット  ＰＣユニット）
２２    コンテンツ取得部（第２のコンテンツ取得手段）
２３    コンテンツ送信部（コンテンツ送信手段）
２８    アプリケーション実行部（実行手段）
【図１】
2011166538.tif 000003
【図２】
2011166538.tif 000004
【図３】
2011166538.tif 000005
【図４】
2011166538.tif 000006
【図５】
2011166538.tif 000007
【図６】
2011166538.tif 000008
【図７】
2011166538.tif 000009
【図８】
2011166538.tif 000010
【図９】
2011166538.tif 000011